(57)【要約】【課題】化粧用配合物を多量に装填できるよう次第に湾曲できる化粧品アプリケータを提供する。【解決手段】本発明は、ステム（５）と、ステムの端のところに設けられたアプリケータ部材（８）とを有するアプリケータ（３）であって、アプリケータ部材は、  ・コア（４０）と、  ・コア（４０）から延びる突出要素（４１，１８）とを有し、アプリケータ部材は、扁平な断面の包絡面を備えると共に８ｍｍ〜１６ｍｍの最大横方向寸法（Ｌ）を備えた螺旋状曲げ部分を有することを特徴とするアプリケータに関する。【選択図】図２
2010221040.tif 000002
【特許請求の範囲】
【請求項１】
ステム（５）と、前記ステムの端のところに設けられたアプリケータ部材（８）とを有するアプリケータ（３）であって、前記アプリケータ部材は、
・コア（４０）と、
・前記コア（４０）から延びる突出要素（４１，１８）とを有し、前記アプリケータ部材は、扁平な断面の包絡面を備えると共に８ｍｍ〜１６ｍｍの最大横方向寸法（Ｌ）を備えた螺旋状曲げ部分を有する、アプリケータ。
【請求項２】
前記螺旋状曲げ部分の厚さは、２ｍｍ〜６．５ｍｍである、請求項１又は２記載のアプリケータ。
【請求項３】
前記螺旋状曲げ部分は、前記アプリケータ部材の長さの少なくとも１／２、良好には少なくとも３／４、より良好にはその全長にわたって延びている、請求項１〜３のうちいずれか一に記載のアプリケータ。
【請求項４】
前記螺旋状曲げ部分の近位側断面と遠位側断面のそれぞれの長軸（Ｘp）と長軸（Ｘd）は、２０°〜８０°の角度（β）だけ角度的にずらされている、請求項１〜３のうちいずれか一に記載のアプリケータ。
【請求項５】
前記螺旋状曲げ部分の断面は、その厚さよりも少なくとも３０％大きな幅を有する、請求項１〜４のうちいずれか一に記載のアプリケータ。
【請求項６】
前記螺旋状曲げ部分の幅（Ｌ）は、その厚さよりも少なくとも３ｍｍ大きい、請求項１〜５のうちいずれか一に記載のアプリケータ。
【請求項７】
前記螺旋状曲げ部分は、互いに平行である２つの互いに反対側に位置した主要面（５０）を備えている、請求項１〜６のうちいずれか一に記載のアプリケータ。
【請求項８】
前記螺旋状曲げ部分は、一定ピッチのものである、請求項１〜７のうちいずれか一に記載のアプリケータ。
【請求項９】
アプリケータ付き包装器具であって、
・睫毛及び／又は眉毛への塗布のための製品用配合物を収容した入れ物と、
・アプリケータ部材とを有し、前記アプリケータ部材は、
・コア（４０）と、
・前記コア（４０）から延びる突出要素（４１，１８）とを有し、前記アプリケータ部材は、扁平な断面の包絡面を備えると共に８ｍｍ〜１６ｍｍの最大横方向寸法（Ｌ）を備えた螺旋状曲げ部分を有し、前記螺旋状曲げ部分の近位側断面と遠位側断面のそれぞれの長軸（Ｘp）と長軸（Ｘd）は、２０°〜８０°の角度（β）だけ角度的にずらされている、アプリケータ付き包装器具。
【請求項１０】
ブラシを製造する方法であって、
ａ）円筒形である包絡面を備えると共に８ｍｍ〜１６ｍｍの直径を備えた撚りコア型ブラシのブランクを製作するステップと、
ｂ）前記ブラシをその長さの少なくとも一部分にわたって機械加工して扁平な断面のブランクを得るステップと、
・ｃ１）前記コアを好ましくは厳密に言って９０°未満の角度（β）にわたり螺旋状に曲げるステップ、又は
・ｃ２）前記ブラシを機械加工ツールに対して回しながら前記ブランクを機械加工して長さの少なくとも一部分にわたって扁平である断面の一部分を備えたブラシを得るステップとを有し、前記機械加工部分の近位側断面と遠位側断面のそれぞれの長軸（Ｘp）と長軸（Ｘd）は、好ましくは厳密に言って９０°未満である角度（β）をなす、方法。
【発明の詳細な説明】
【技術分野】
【０００１】
本発明は、化粧用、メーキャップ用又はケア製品用配合物、例えばマスカラを睫毛及び／又は眉毛に塗布するアプリケータ及びかかるアプリケータを有するアプリケータ付き包装器具に関する。
【０００２】
本発明は又、かかるアプリケータの製造方法に関する。
【背景技術】
【０００３】
一般に、ステムの端のところに設けられたブラシは、容器からマスカラを拾い取るために用いられ、容器は、ステムやブラシに付着している過剰のマスカラを取り除くためのワイパー部材を備えている。一例を挙げると、ワイパー部材は、エラストマー材料で作られていて、ステムの直径に実質的に一致した直径を有する円形断面のワイパーオリフィスを画定するリップを有している。
【０００４】
湾曲能力が真っ直ぐな縁により制限されている扁平なブラシが存在する。加うるに、配合物は、ワイパー部材を通過する際、同じようにブラシに沿ってくまなく滑らかにされ、それにより、ブラシは、同じようにマスカラを含浸させた面を備えるものとなり、この場合、塗布に都合のよいゾーンが得られない。
また、螺旋の縁を備えたブラシを有するアプリケータも又存在する。
【０００５】
英国特許第２１７０９９６号明細書は、少なくとも３つの列をなす短い剛毛及び３つの列をなす長い剛毛を有するマスカラブラシを記載しており、これらの列は、長手方向又は螺旋状である。
仏国特許第２９１３５７２号明細書では、アプリケータの剛毛は、螺旋の列をなして設けられ、剛毛は、中央コアの対応の面上に心出しされている。
国際公開第２００１／４１５９９号パンフレットは、螺旋の溝を形成するよう機械加工されたブラシブランク（素材）を記載している。
米国特許第５５５１４５６号明細書は、９０°〜３６０°の角度に曲げられた断面を有する螺旋ブラシの製造方法を開示している。
また、米国特許第５３３５４６５号明細書は、四分の一（１／４）回転から丸一回転までの範囲に位置する断面相互間に角度的ずれを備えた螺旋状曲げ又はコルク栓抜き形アプリケータを開示している。
米国特許第５５９５１９８号明細書は、１８０°〜４００°の角度的ずれを呈するマスカラアプリケータを開示している。
【先行技術文献】
【特許文献】
【０００６】
【特許文献１】英国特許第２１７０９９６号明細書
【特許文献２】仏国特許第２９１３５７２号明細書
【特許文献３】国際公開第２００１／４１５９９号パンフレット
【特許文献４】米国特許第５５５１４５６号明細書
【特許文献５】米国特許第５３３５４６５号明細書
【特許文献６】米国特許第５５９５１９８号明細書
【発明の概要】
【発明が解決しようとする課題】
【０００７】
特にアプリケータ部材に次第に湾曲する能力を与えると共に多量の配合物が充填されるゾーンの形成に有利なように配合物を角質性線維組織に塗布するアプリケータを更に一段と改良することが要望されている。
本発明は、特に、かかる要望を満たそうとするものである。
【課題を解決するための手段】
【０００８】
本発明の例示の実施形態として、ステムと、ステムの端のところに設けられたアプリケータ部材とを有するアプリケータであって、アプリケータ部材は、コアから延びる突出要素を有し、アプリケータ部材は、扁平な断面を備えると共に８ミリメートル（ｍｍ）〜１６ｍｍの最大横方向寸法を備えた螺旋状曲げ部分を有することを特徴とするアプリケータが提供される。
具体的には、最大横方向寸法は、９ｍｍを超えるのが良く、ブラシの螺旋状曲げ部分の厚さは、２ｍｍ〜６．５ｍｍであるのが良い。
【０００９】
最大横方向寸法は、近位端及び／又は遠位端から、塗布に用いられるアプリケータ部材の部分の全長の１／４を超える距離のところに見られるのが良く、例えば、撚りコア型ブラシの場合、かかる部分は、剛毛を支持している。
螺旋状曲げ部分の近位側断面及び遠位側断面の長軸は、互いに角度的にずらされているのが良く、例えば、１／４回転未満だけずらされているのが良い。
【００１０】
塗布のための配合物を収容した容器は、ワイパーオリフィスを構成するワイパー部材を有するのが良く、アプリケータ部材は、アプリケータ部材を容器から取り出している間、このワイパーオリフィスを通過し、ワイパーオリフィスの直径は、好ましくは、２．５ｍｍ〜５．５ｍｍである。
【００１１】
本発明のアプリケータ部材により、満足の行くメーキャップ効果を得ることができ、かかるアプリケータ部材の使用の結果として、このアプリケータ部材がステムの長手方向軸線回りにひねられ又は回されているときに変化するプロフィールが提供される。
【００１２】
螺旋状曲げ部分は、比較的小径であるのが良いその遠位端部と近位端部との間に角度的ずれを呈する。「角度的ずれ」という用語は、断面の長軸がこれら端部相互間で回る角度を意味している。角度的ずれは、ユーザがメーキャップを施しながらアプリケータをそれ自体の軸線回りに回す角度にほぼ等しいのが良い。この僅かなずれにより、そして、手を少しひねって回すことにより、アプリケータ部材は、睫毛を自然な仕方で次第に持ち上げることができる。
【００１３】
螺旋状曲げ部分の遠位端部と近位端部との間の角度的ずれは、２０°〜８０°であるのが良く、良好には３５°未満であるのが良く、更に良好には２５°〜３５°であるのが良く、それどころか約３０°に等しいのが良い。
【００１４】
螺旋状曲げ部分は、螺旋状曲げ部分は、アプリケータ部材の長さの少なくとも１／２、良好には少なくとも３／４、より良好にはその全長にわたって延びるのが良い。かくして、螺旋状曲げ部分は、例えば２０ｍｍ〜３５ｍｍの長さにわたって延びるのが良い。この場合、アプリケータ部材の長さは、塗布に用いられる突出要素、例えば剛毛又は歯を支持したコアの部分の長さであると定義される。
アプリケータ部材は、その長さの一部に沿ってのみ螺旋状に曲げられるのが良い。
アプリケータ部材は、遠位部分に沿ってのみ、例えばその遠位側の半分に沿ってのみ螺旋状に曲げられるのが良い。
【００１５】
コアの長手方向軸線に沿う幾つかの箇所において、基準方向に対するアプリケータ部材の断面の長軸の角度は、コアの長手方向軸線に沿って連続的に変化するのが良い。長軸の端部がコアの長手方向軸線回りに一定ピッチの螺旋を描くのが良い。変形例では、角度は、非連続的に変化していても良い。長軸の端部は、コアの長手方向軸線回りに漸変ピッチの螺旋体を形成するのが良く、例えば、ピッチは、場合によっては、アプリケータの遠位端部に向かって増大し又は遠位端部に向かって減少し、或いは、増大してから減少し、或いは減少してから増大しても良い。基準方向は、螺旋状曲げ部分の遠位断面の長軸に平行であるのが良い。
螺旋状曲げ部分は、時計回り又は反時計回りに螺旋状に曲げられるのが良い。
【００１６】
断面で見て、螺旋状曲げ部分は、その厚さよりも少なくとも３０％幅が大きいのが良い。換言すると、アプリケータ部材の断面の最大幅は、アプリケータ部材の厚さの少なくとも１．３倍であるのが良い。アプリケータ部材の螺旋状曲げ部分は、その厚さよりも３０％〜１００％大きな幅を有し、良好には、３５％〜５５％大きな幅を有するのが良い。一例を挙げると、アプリケータ部材の断面は、長方形、楕円形、長円形、菱形又は腎臓形であるのが良い。
【００１７】
螺旋状曲げ部分の幅は、螺旋状曲げ部分の断面の最大幅として定義される。螺旋状曲げ部分の厚さは、最大幅に垂直な方向におけるコアの長手方向軸線に垂直な断面平面内で測定される。
【００１８】
螺旋状曲げ部分の最大横方向寸法は、６ｍｍ〜１４ｍｍであるのが良く、良好には上述したように８ｍｍ〜１６ｍｍである。螺旋状曲げ部分の幅は、その厚さよりも少なくとも３ｍｍ大きいのが良い。螺旋状曲げ部分の厚さは、３ｍｍ〜７ｍｍであるのが良く、良好には３ｍｍ〜６ｍｍである。
【００１９】
アプリケータ部材は、２つの互いに反対側に位置した主要面を備えるのが良く、これら面相互間の間隔は、アプリケータ部材の厚さを定める。主要面は、互いに平行であるのが良い。
アプリケータ部材は、断面が外方に凸状である例えば２つの側面を備えるのが良い。
【００２０】
コアは、心出しされても良く、或いは、心ずれ状態であっても良く、コアは、オプションとして直線状であるのが良い。コアの長手方向軸線は、ステムの長手方向軸線と一致するのが良い。変形例として、コアの長手方向軸線は、ステムの長手方向軸線と整列状態にある必要はない。コアは、湾曲していても良い。
コアは、撚りコアであるのが良く、例えば、互いに撚り合わされた線材（細線）の２つの枝から成り、かくして、熱可塑性材料で作られたコアとは異なっている。
【００２１】
本発明の意味において、「剛毛（ブリッスル）」という用語は、コアによって支持された任意の個々の突出要素を意味するものと理解されるべきである。「剛毛」、「突出要素」又は「歯」という用語は、「剛毛」という用語が通常、例えば撚りコア型ブラシの場合にコアに取り付けられた突出要素を指示するよう用いられている場合であっても、区別なく用いられ、「歯」という用語は、成形によって作られたアプリケータ部材のアプリケータ要素を指示するよう用いられる場合が多い。
包絡面は、突出要素の自由端に当たる表面であると定義される。
アプリケータ部材は、ワイパー部材を含む容器内に入っている配合物を塗布するために使用できる。
【００２２】
アプリケータ部材は、これがコルク栓抜きの形状をしていると共に扁平な断面を有しているので、その突出要素がその周囲のどの部分についても過度に圧縮されることなく、ワイパー部材を通過することができ、アプリケータ部材は、ワイパー部材を通る際にもたらす抵抗を比較的小さくすることができる。
【００２３】
加うるに、ステムを取り出すことにより生じる吸引と関連したピストン現象は、アプリケータ部材の形状により空気の取り込みを可能にすることができるので限定された効果のものである場合がある。
アプリケータ部材により、一様でない拭き取りを得ることができ、それにより、配合物が不均等に装填されるゾーンが得られる。
アプリケータ要素の最も長い突出要素は、完全な拭き取りが行われるのが良い。最も短い突出要素は、これに対し装填量が多いのが良い。
【００２４】
かくして、ユーザは、アプリケータ部材に利用可能な多くの量の配合物を得ることができ、それにより、メーキャップを施しながら必要であることが判明した場合に配合物を局所的に睫毛に追加することができ、この場合、アプリケータ部材を容器内に戻し入れる必要はない。加うるに、ユーザは、配合物の装填量の少ない突出要素を利用することができ、これら突出要素は、有利には、睫毛、特に瞼の端のところの細い睫毛を分離するのに適している。
【００２５】
ステムは、弾性変形可能な遠位部分を有するのが良い。一例を挙げると、遠位部分は、ステムの残部に取り付けられ、剛性のより高い材料で作られるのが良い端部品により形成される。端部品は、１つ又は２つ以上の環状溝を有するのが良く、それにより、端部品に可撓性が与えられる。
【００２６】
第１の端部から見て反対側の第２の端部のところに、ステムは、アプリケータの取っ手を有するのが良く、取っ手は、場合によっては、容器を漏れ止め状態で閉鎖するクロージャキャップを構成する。
【００２７】
アプリケータ部材は、アプリケータ部材の近位端部及び遠位端部に向かって進むにつれて減少する断面の包絡面を有するのが良い。例えば、包絡面は、近位端部及び遠位端部のところにおいて切頭円錐形である。
【００２８】
また、本発明の他の例示の実施形態は、ステムと、ステムの端のところに設けられたアプリケータ部材とを有するアプリケータであって、アプリケータ部材は、コアから延びる突出要素を有し、アプリケータ部材は、扁平な断面の螺旋状曲げ部分を有し、螺旋状曲げ部分の近位側断面及び遠位側断面の長軸は、コアの長手方向軸線回りに１／４回転未満、即ち９０°未満だけ角度的にずらされていることを特徴とするアプリケータを提供する。
【００２９】
撚りコア型ブラシ
【００３０】
コアは、撚りコアであるのが良い。
コアは、左撚り又は右撚り、特に仏国特許出願公開第２７０１１９８（Ａ）号明細書に記載されているような左撚りを呈するのが良い。左撚り型のブラシでは、コアの枝は、ターンを形成するよう左に撚り合わされ、ターンは、ステムに取り付けられている端部からコアの軸線に沿って見て、ステムからブラシの自由端に向かって進むにつれて時計回りの方向に回っている。螺旋状曲げ部分の近位側断面と遠位側断面との間の角度は、コアのピッチの同一方向、例えば、左ピッチの時計回りの方向における角度であるのが良い。
【００３１】
突出要素が撚りコアによって保持された剛毛である場合、剛毛は、天然であっても良く、合成であっても良く、これらの端部は、例えば丸形ヘッド又は二股部を形成するよう任意の形式の公知処理が施されるのが良い。アプリケータ部材は、剛毛の混合物を有するのが良い。用いられる剛毛は、任意所与のものであって良く、特に、剛毛は、中軸円形断面を有する剛毛であって良く、或いは、毛管チャネルを備えた扁平な又は螺旋状曲げ形中空剛毛であっても良く、或いは、それどころか、好ましい変形が施されたゾーンを有しても良い。
【００３２】
螺旋状曲げ部分の近位側断面と遠位側断面との間の角度は、コアのピッチとは逆の方向に差し向けられるのが良く、例えば、左ピッチでは反時計回りの方向の角度又は右ピッチの場合には時計回りの方向の角度に差し向けられるのが良い。
【００３３】
特定の例示の実施形態では、ブラシは、直線状の撚りコアを有すると共に円筒形である包絡面を備えたブランクから作られる。本発明のブラシは、これを平らに切断した後、コルク栓抜き形撚りを加えることにより得られる。ブランクは、包絡面に扁平な形状を与えるよう機械加工され、次に、コアを螺旋状に曲げてブラシに螺旋形状を与える。
【００３４】
ブランクは、幅が６ｍｍ〜１４ｍｍ、厚さが３ｍｍ〜７ｍｍ、長さが２２ｍｍ〜３５ｍｍの扁平なブラシであるのが良い。
コアは、直径が０．４０ｍｍ〜１ｍｍの線材を撚ることにより作られるのが良い。
【００３５】
本発明の撚りブラシから始まって、観察の目的上、螺旋状曲げ部分の遠位端部及び近位端部のところの断面の長軸相互間の角度がゼロに減少するまでブランクを逆方向に螺旋状に曲げることによって２つの平面状の互いに平行な面を備えた扁平な断面のブランクに戻ることが可能である。
【００３６】
本発明は又、ブラシを製造する方法であって、
ａ）好ましくは筒形、特に円筒形である包絡面の撚りコア型ブラシのブランクを製作するステップと、
ｂ）ブラシをその長さの少なくとも一部分にわたって機械加工して扁平な断面のブランクを得るステップと、
ｃ）かかる部分のコアを厳密に言って９０°未満の角度（β）にわたり螺旋状に曲げるステップとを有することを特徴とする方法を提供する。
ステップａ）における筒形ブラシの直径は、８ｍｍ〜１６ｍｍであるのが良い。開始状態のブラシは、最終のブラシよりも大きい場合がある。
ステップｂ）で得られるブランクの断面は、その厚さの少なくとも３０％大きな幅を有するのが良い。
【００３７】
角度（β）は、２０°〜８５°であるのが良く、良好には４５°未満であり、より良好には２５°〜３５°であり、或いは、それどころか３０°に等しい場合がある。ブランクは、その厚さよりも３０％〜１００％大きな幅を有するのが良く、良好にはその厚さよりも３５％〜５５％大きな幅を有するのが良い。一例を挙げると、ブランクの断面は、長方形、楕円形、長円形、菱形又は腎臓形であるのが良い。
コアの長手方向軸線は、直線状であるのが良い。
少なくとも１つのファセット（小面）又は切欠きをコアの螺旋曲げ前において上述のステップｂ）でブランク上又はブランク中に形成するのが良い。
ステップａ）で製作されたブラシは、左撚りを呈しても良く右撚りを呈しても良い。
【００３８】
別の変形例では、本発明のブラシは、カッタを用いて切断することにより、例えば、相対回転を１回のパスか又は２回のパスかのいずれかで相対回転をカッタ又はブラシに与えることにより得られる。かくして、製造ステップは次の通りであり、即ち、
ａ）円筒形である包絡面を備えた撚りコア型ブラシを製作し、
ｂ）長さの少なくとも一部分にわたって、長軸（Ｘ）に沿って扁平な断面の一部分を有するブラシを得るようブランクを機械加工し、この扁平な部分の遠位側断面と近位側断面のそれぞれの長軸（Ｘp）と長軸（Ｘd）は、これらの間に、厳密に言えば１／４回転未満の角度（β）をなす。
【００３９】
くし（櫛）
【００４０】
アプリケータは、コア及び列状に配置された成形歯を備えた成形アプリケータ部材を有するのが良く、このアプリケータ部材は、「くし」又は「射出成形ブラシ」とも呼ばれる。
【００４１】
アプリケータ部材のコルク栓抜き形態は、成形のために用いられる金型の形状によって得られ、或いは、変形例として、脱型中、コアに捩じりを及ぼすことにより、特に、材料が依然として高温状態にある間にコアを変形させても良い。
【００４２】
角度的ずれは、螺旋列の端に位置する歯の長い寸法方向相互間で測定されるのが良い。
【００４３】
アプリケータのコアは、多角形、例えばオプションとして正多角形、例えば三角形、正方形、長方形、五角形、六角形、七角形又は八角形の形状の断面のものであるのが良い。コアの面は、平面状であっても良く、僅かに凹状であっても良く、僅かに凸状であっても良い。
【００４４】
コアは、３〜８個の長手方向面又は３〜６個の長手方向面を有するのが良い。
コアの長手方向面は、尖鋭な縁により分離されるのが良い。尖鋭な縁のうちの１つ又は２つ以上又はそれどころかこれら全ては、螺旋状に曲げられているのが良い。
アプリケータ部材の断面は、少なくともその螺旋状曲げ部分にわたり扁平であるのが良い。歯は、任意形状のものであって良い。
【００４５】
器具
【００４６】
本発明は又、アプリケータ付き包装器具であって、睫毛及び／又は眉毛への塗布のための配合物を収容した容器と、上述したアプリケータ、例えばブラシ又はくしとを有することを特徴とするアプリケータ付き包装器具を提供する。
【００４７】
この器具は、アプリケータ部材を容器から取り出している間、アプリケータ部材を拭い取るためのワイパー部材を有するのが良く、ワイパー部材は、例えば容器のネックに設けられるのが良い。ワイパー部材は、任意適当な形式のものであって良く、可撓性又は剛性であり、１つ又は２つのステージを有する。
【００４８】
ワイパー部材は、アプリケータ部材の最大横方向寸法以下の入口直径を有するのが良い。入口直径は、容器の外部に向かうワイパー部材の開口直径である。ワイパーオリフィスの直径は、２．５ｍｍ〜５．５ｍｍであるのが良く、良好には２．５ｍｍ〜４．５ｍｍである。「ワイパーオリフィスの直径」という表現は、ワイパーオリフィスに内接可能な最も大きな円の直径を意味するものと理解されるべきである。ワイパーオリフィスは、オプションとして円形であるのが良い。
【００４９】
アプリケータの取っ手は、容器を閉鎖するクロージャキャップとしての役目を果たすことができる。容器及びクロージャキャップは、容器を漏れ止め状態で閉鎖するような仕方で構成されるのが良い。一例を挙げると、これらは、ねじ締結により互いに協働するのが良い。
【００５０】
本発明の他の例示の実施形態は又、メーキャップを睫毛又は眉毛に施す方法であって、配合物を上述したアプリケータにより睫毛又は眉毛に塗布するステップを有することを特徴とする方法を提供する。
【００５１】
一例を挙げると、容器内に入っている配合物は、睫毛に重ね塗り状態になりにくい配合物であり、この場合、既に付着している配合物を取り去らないように睫毛のブラシ掛けをできるだけ少なくすることが有利な場合がある。ブラシの主要面と関連した広い接触面積により、ブラシは、配合物を取り去る恐れを減少させた状態で睫毛をメーキャップすることができる。
【００５２】
本発明は又、アプリケータ付き包装器具であって、
・睫毛及び／又は眉毛への塗布のための製品用配合物を収容した入れ物と、
・アプリケータ部材とを有し、アプリケータ部材は、
・コアと、
・コアから延びる突出要素とを有し、アプリケータ部材は、扁平な断面の包絡面を備えると共に８ｍｍ〜１６ｍｍの最大横方向寸法（Ｌ）を備えた螺旋状曲げ部分を有し、螺旋状曲げ部分の近位側断面と遠位側断面のそれぞれの長軸（Ｘp）と長軸（Ｘd）は、２０°〜８０°の角度（β）だけ角度的にずらされていることを特徴とするアプリケータ付き包装器具を提供する。
【００５３】
本発明の内容は、その非限定的な実施形態に関する以下の詳細な説明を読むと共に添付の図面を参照すると良好に理解できる。
【図面の簡単な説明】
【００５４】
【図１】本発明に従って製作されたアプリケータ付き包装器具の一例を示す概略縦断面図である。
【図２】本発明のアプリケータ部材の一実施形態の概略部分斜視図である。
【図３】矢印ＩＩＩに沿って見た場合の図２のアプリケータ部材の端面図である。
【図４】図２のＩＶ‐ＩＶ線矢視断面図である。
【図５】図２のＶ‐Ｖ線矢視断面図である。
【図６】図４に類似した図であり、変形実施形態を示す図である。
【図７】図４に類似した図であり、変形実施形態を示す図である。
【図８】図４に類似した図であり、変形実施形態を示す図である。
【図９】図４に類似した図であり、変形実施形態を示す図である。
【図１０】本発明に従って作製されたブラシブランクの一例の包絡面を示す斜視図である。
【図１１】本発明に従って作製されたブラシブランクの別の例の包絡面を示す斜視図である。
【図１２】ブラシブランクの変形実施形態の側面図である。
【図１３】ブラシブランクの変形実施形態の側面図である。
【図１４】本発明のアプリケータ部材の一実施形態の斜視図である。
【図１５】アプリケータが省かれた状態の図１１の容器の細部を示す図である。
【図１６】可撓性である遠位部分を備えたステムを製作する手段を示す図である。
【図１７】可撓性である遠位部分を備えたステムを製作する手段を示す図である。
【図１８】本発明のブラシの別の例を示す斜視図である。
【発明を実施するための形態】
【００５５】
図１に示されているアプリケータ付き包装器具１０は、睫毛又は眉毛に塗布される配合物Ｐを収容した容器２及び検討中の実施形態では、容器２に取り外し可能に取り付けられるのに適したアプリケータ３を有している。
【００５６】
アプリケータ３は、長手方向軸線Ｚのステム５を有し、このステムは、一端部に、アプリケータ部材８を備えると共に他端部に取っ手１１を備え、この取っ手は又、容器２を漏れ止め状態に閉鎖するクロージャキャップを構成する。容器は、頂端部にねじ山付きネック１４を備えた本体１３を有し、取っ手１１は、容器２を閉鎖するようこのねじ山付きネックに螺着可能である。変形例では、アプリケータは、他の何らかの仕方で容器に取付け可能である。
【００５７】
図示のように、ネック１４は、例えば容器に取り付けられたワイパー部材２０を受け入れるのが良い。
図示のように、ワイパー部材２０は、ステム５の直径に適合した直径のワイパーオリフィス２２を構成するリップ２６を有するのが良い。
【００５８】
アプリケータ部材８は、任意適当な手段を用いてステム５に取り付けられるのが良く、例えば、アプリケータ部材は、ステムの遠位端部のところに設けられたハウジング内に受け入れられるのが良い。
【００５９】
検討中の実施形態では、アプリケータ部材８は、撚り金属コア４０を有する。
【００６０】
図示のように、ステム５の直径は、その遠位端部６６に隣接して位置するステム５の遠位部分６４にわたりテーパしているのが良く、この直径は、取っ手３までステムの大部分にわたり実質的に一定のままであるのが良い。
【００６１】
ステム５は、適宜、アプリケータが容器上の定位置にあるとき、ワイパーオリフィスに向いて位置決めされるその部分に、貯蔵中、ワイパーリップ２６に応力を及ぼさないよう環状絞り部を備えるのが良い。
【００６２】
コア４０は、剛毛４１を支持しており、これら剛毛は、天然であっても良く、合成であっても良く、オプションとして混合物であっても良く、オプションとしてフロック加工されていても良い。
【００６３】
検討中の実施形態では、コア４０は、Ｕ字形の形状に折り曲げられ、次に撚り合わされる線材（細線）の２つの枝によって形成され、剛毛４１は、コアのターン相互間に保持される。線材の直径は、例えば０．１ｍｍ〜１ｍｍである。剛毛の直径は、例えば、０．０６ｍｍ〜０．３５ｍｍである。
【００６４】
剛毛４１の自由端によって構成される包絡面Ｅは、２つの互いに反対側の主要面５０を備える。
【００６５】
図示の実施形態では、コア４０は、直線状であり、例えば、ステム５の長手方向軸線と一致した長手方向軸線のものである。主要面５０は、２つの側面５１により互いに繋がれており、これら側面は、図示のように例えば外方に凸状である。
【００６６】
アプリケータ部材について考えられる幾つかの断面が、一例として、図６〜図９に示されている。
【００６７】
これらの図に示されているように、幅Ｌと厚さｅの比（Ｌ／ｅ）は、アプリケータ部材に応じて比較的かなり様々であって良い。
アプリケータ部材は、長方形である断面を有すると共に図７に示されているように互いに平行な側面５１を有する。
【００６８】
主要面５０は、図２〜図７に示されているように互いに平行であるのが良く又は図８に示されているように外方に凸状であるのが良い。
【００６９】
主要面５０は、図８に示されているように互いに平行であるのが良く、或いは、図示していない変形例では、外方に凸状であっても良く、例えば、主要面の曲率半径よりも小さな曲率半径を備える。
主要面５０は又、図９に示されているように外方に凹状であっても良く、例えば、凹状の形は、円の一部分又は互いに凹角（リエントラント）角度をなす平面状面により定められる。
【００７０】
図示していない変形例では、アプリケータ部材の断面は、非対称である形状を備えるのが良く、例えば、２つの主要面は、互いに異なる形状を有する。
アプリケータ部材の螺旋状曲げ部分の近位端部及び遠位端部のところの断面の長軸Ｘpと長軸Ｘdとの間の角度のずれβは、上述したように、実施形態に応じて、種々の値を取ることができる。
【００７１】
図１０は、コア４０を螺旋状に曲げる前におけるアプリケータ部材のブランクの変形例を示しており、このブランクは、起伏があり、例えば、剛毛を支持したコア４０の部分に沿って実質的に中間に位置する最小幅を通る側面５１を備えている。
変形例として、アプリケータ部材のコア４０は、図１１に示されているように、断面が心ずれ状態であっても良い。
【００７２】
主要面に垂直に観察した場合に、アプリケータ部材８を製作するために用いられるブランク８０は、互いに平行ではなく、図１２で理解できるようアプリケータ部材の長さの少なくとも一部分に関して直線状ではない側面５１を備えるのが良い。例えば、側面５１は、例えば遠位部分９１と近位部分９２との間に延びるブランクの一部分９０にわたり外方に凹状であり、これら部分９１，９２の各々は、アプリケータ部材の隣接の端部に向かって減少する幅のものである。
【００７３】
図１３は、剛毛を支持したその部分にわたり直線状であり、ステムの長手方向軸線Ｚと角度γをなすコアを提供する可能性を示しており、例えば、このコアは、例えば主要面５０の平面に平行である軸線回りに曲げられている。
コア４０は、一方向に撚られ、次に多方向に撚られるのが良く、例えば、その長さの半分にわたって左撚りにし、次に残りの半分にわたり右撚りにするのが良い。
【００７４】
図１４では、アプリケータ部材８は、成形により歯を備えたコア４０を有している。
【００７５】
一例を挙げると、コア４０は、その長さの大部分にわたり長手方向面１５を画定する辺を備えた多角形である断面を有する。
一例を挙げると、長手方向面１５の数は、４つであり、コアの断面は、図示のように例えば実質的に正方形である。図示の実施形態では、歯１８の単一の列１７が、長手方向面１５の各々に連結されており、この歯は、例えば互いに整列状態にあるベース１９を備えている。
加うるに、各列１７の歯１８は、図１４で理解できるように、螺旋状に曲げられた列の長手方向軸線に沿って延びており、コア４０の面１５は、これら自体、螺旋状に曲げられている。
【００７６】
検討中の実施形態の場合と同様、コア４０の近位端部の延長部として、円筒形端部品が設けられるのが良く、かかる円筒形端部品により、コア４０をステム５に取り付けることができる。具体的に説明すると、取付けは、ステムの端部のところに設けられているハウジング内への圧力嵌め、スナップ装着、接着、ヒートシール又は圧着により実施されるのが良い。変形例としてステムをコアに設けられているハウジング内に挿入しても良い。
コア４０は、変形例として、ステム５又はステム５が挿入されるハウジングと一体成形されても良い。
コア４０は、これが脱型されている間に変形されるのが良く、或いは、変形例として、コア４０は、その最終形状に成形されても良い。
検討中の実施形態では、歯１８は、熱可塑性材料を成形することによりコア４０と一体形成される。
【００７７】
アプリケータ部材８を成形するため、オプションとして比較的硬質である熱可塑性材料、例えばスチレン‐エチレン‐ブチレン‐スチレン（ＳＥＢＳ），ポリウレタン（ＰＵ）、シリコーンゴム、ラテックスゴム、ブチルゴム、エチレン‐プロピレン‐ターポリマーゴム（ＥＰＤＭ）、ニトリルゴム、ニトリルブチルゴム、アセテート系ポリマー、スチレン‐イソプレン‐スチレン（ＳＩＳ）系ポリマー、熱可塑性エラストマー、ポリエステル、ポリアミド、ポリエチレン又はビニルエラストマー、ポリオレフィン、例えばポリエチレン（ＰＥ）又はポリプロピレン（ＰＰ）、ポリ塩化ビニル（ＰＶＣ）、エチルビニルアセテート（ＥＶＡ）、ポリスチレン（ＰＳ）、ポリエチレンテレフタレート（ＰＥＴ）、ポリオキシメチレン（ＰＯＭ）、ポリアミド（ＰＡ）、ポリメチルメタクリレート（ＰＭＭＡ）又はＰＡエラストマーを用いることが可能である。特に、商標名Hytrel（登録商標）、Cariflex（登録商標）、Alixine（登録商標）、Santoprene（登録商標）、Pebax（登録商標）という商標名で知られている材料を用いることが可能であるが、このリストは、本発明を限定するものではない。
【００７８】
適宜、アプリケータ部材８は、成形、打ち抜き加工又は金属の機械加工によって形成されても良い。
歯及びコアは、適宜、互いに異なる材料で形成されるのが良い。
【００７９】
アプリケータ部材８は、その遠位端部１２のところに、アプリエータ３を容器２内に戻しやすくするよう前方にテーパしたヘッドを有するのが良い。歯１８の高さは、図１４に示されているように、遠位部分に沿ってヘッド１２に向かって進むにつれて減少するのが良い。
【００８０】
歯１８の高さは、アプリケータ部材２０がアプリケータ３を取り出している間、ワイパー部材８を通過しやすくするようステム５に向かって進むにつれて近位移行部分に沿って減少しても良い。
一般に、コアは、任意の数の長手方向面を有することができ、上述の特徴はどれも、長手方向面の数の如何にかかわらず利用可能である。
【００８１】
ワイパー部材は、図１５に示されているように一定の内径の部分を有するのが良い。
ワイパー部材の円筒形内面と接触状態にあるアプリケータ部材の螺旋状曲げ部分の運動は、配合物の混合を促進することができる。
【００８２】
ステム５は、その端部に、図１６に示されているように、弾性変形可能な端部品１８０を備えるのが良く、この部品は、ブラシのコアに対する支持体としての役目を果たし、図１７に示されているようにブラシが容器から取り出されている間又は塗布中、或る量の角度的隙間を残す。端部品は、例えば溝１８１を有する。一例を挙げると、端部品は、欧州特許出願公開第１９１７８８３（Ａ２）号明細書に記載されているようなものであり、この端部品は、少なくとも一部が次のリスト、即ち、エラストマー材料、熱可塑性樹脂、熱可塑性エラストマー、低密度ポリエチレン（ＬＤＰＥ）、ポリ塩化ビニル（ＰＶＣ）、ポリウレタン（ＰＵ）、熱可塑性エラストマーポリエステル、特にエステル型ポリテトラメチレンオキシドグリコール及びブテンテレフタレートのコポリマー、Hytrel（登録商標）、エチレンプロピレンジエンターポリマー（ＥＰＤＭ）、プロピレンジエンターポリマー（ＰＤＭ）、エチルビニルアセテート（ＥＶＡ）、スチレンイソプレンスチレン（ＳＩＳ）、スチレンエチレンブチレンスチレン（ＳＥＢＳ）、スチレンブタジエンスチレン（ＳＢＳ）、ラテックス、シリコーンゴム、ニトリルゴム、ブチルゴム、ポリウレタン、ポリエステルブロックアミド、ポリエステルから選択された材料で作られるのが良く、このリストは、本発明を限定するものではない。端部品は、ショアＡスケール硬度（ＳｈＡ）で２５からショアＤスケール硬度（ＳｈＤ）で８０までの範囲、例えば４０ＳｈＡ〜７０ＳｈＤの硬さを有する材料で作られるのが良い。ステムの剛性部分は、熱可塑性材料、特に、次のリスト、即ち、高密度ポリエチレン（ＨＤＰＥ）、ＬＤＰＥ、線状ポリエチレン（ＰＥ）、多結晶（ＰＴ）、ポリプロピレン（ＰＰ）、ポリオキシメチレン（ＰＯＭ）、ポリアミド（ＰＡ）、ポリエチレンテレフタレート（ＰＥＴ）及びポリブチルテレフタレート（ＰＢＴ）から選択された材料の１つで作られるのが良いが、このリストが全てではない。
【００８３】
剛毛は、天然であっても良く合成であっても良く、剛毛は、例えば、ＰＥ、ＰＡ、特にＰＡ６、ＰＡ６／６、ＰＡ６／１０又はＰＡ６／１２、Hytrel（登録商標）、Pebax（登録商標）、シリコーンゴム、ＰＵから選択された材料で作られても良く、このリストは、本発明を限定するものではない。ブラシは、弾性的な特性を備えた剛毛、特にエラストマーで作られた剛毛を有することができる。磁気的性質を備えた剛毛を用いることができる。ブラシをフロック加工することができる。剛毛は、これらの端部のところの二股部、ビード又はフックを形成するよう処理可能である。剛毛は、滑りやすくするよう処理できる。
【００８４】
剛毛は、中実の円形断面、中空円形断面、中空多角形断面、例えば中空三角形断面を備えることができる。剛毛は又、中空星形断面、中実であるのが良い多ローブ形断面、扁平な断面、長円形断面、直角三角形断面、Ｈ断面、ダンベル形断面、中実三角形状多角形断面、正方形断面、五角形断面、半円形断面、台形断面又はＵ字形断面を有しても良い。剛毛は、少なくとも１つの毛管チャネルを有するのが良い。
【００８５】
ブラシは、アプリケータ内にオプションとして取り外し可能な仕方で設けられ、特に取っ手に取り付けられた振動発生器によるか例えばユーザの指に取り付けられた外部バイブレータ要素によるかのいずれかにより振動するようになっていても良い。
振動発生器は、仏国特許第２８８２５０６号明細書に記載されている。
【００８６】
変形例では、コアを製作するため、二重線材を用いることが可能であり、かかる二重線材をそれ自体撚って剛毛を捕捉し、それにより剛毛の自由端の分布をランダムにすることが可能である。また、ブラシは、各々が剛毛を備えた２つの撚りコアを互いに撚り合わせることによっても形成できる。
起伏のあるリップにより画定されたワイパーオリフィスを有するワイパー部材を用いることができる。
【００８７】
ブラシを図１８に示されているようにその遠位側の半分だけに沿って螺旋状に曲げても良い。
ブラシにいったんコルク栓抜きの形状が与えられると、ブラシのコアを少なくとも１つの軸線、例えばコアに垂直な軸線回りに湾曲させても良い。
ワイパー部材は、剛性であっても良く、例えば、非エラストマー熱可塑性材料で作られても良い。幾つかの実施形態では、ワイパー部材は、可撓性であっても良く、例えば、エラストマーで作られても良い。
【００８８】
原文明細書において“comprising a”（翻訳文では、「〜を有する」又は「〜を含む」と訳している場合が多い）という表現は、“comprising at least one”（〜を少なくとも１つ有する）と同義であると理解されるべきである。
【符号の説明】
【００８９】
２  容器
３  アプリケータ
５  ステム
８  アプリケータ部材
１０  アプリケータ器具
１３  本体
１４  ネック
２０  ワイパー部材
２２  ワイパーオリフィス
２６  リップ
４０  コア
４１  剛毛
Ｐ  配合物
【図１】
2010221040.tif 000003
【図２】
2010221040.tif 000004
【図３】
2010221040.tif 000005
【図４】
2010221040.tif 000006
【図５】
2010221040.tif 000007
【図６】
2010221040.tif 000008
【図７】
2010221040.tif 000009
【図８】
2010221040.tif 000010
【図９】
2010221040.tif 000011
【図１０】
2010221040.tif 000012
【図１１】
2010221040.tif 000013
【図１２】
2010221040.tif 000014
【図１３】
2010221040.tif 000015
【図１４】
2010221040.tif 000016
【図１５】
2010221040.tif 000017
【図１６】
2010221040.tif 000018
【図１７】
2010221040.tif 000019
【図１８】
2010221040.tif 000020
【外国語明細書】
2010221040.tif 000021
2010221040.tif 000022
2010221040.tif 000023
2010221040.tif 000024
2010221040.tif 000025
2010221040.tif 000026
2010221040.tif 000027
2010221040.tif 000028
2010221040.tif 000029
2010221040.tif 000030
2010221040.tif 000031
2010221040.tif 000032
2010221040.tif 000033
2010221040.tif 000034
2010221040.tif 000035
2010221040.tif 000036
2010221040.tif 000037
2010221040.tif 000038
2010221040.tif 000039
2010221040.tif 000040
2010221040.tif 000041
2010221040.tif 000042
2010221040.tif 000043
2010221040.tif 000044
2010221040.tif 000045
2010221040.tif 000046
2010221040.tif 000047
2010221040.tif 000048